(57)【要約】【課題】  広告コンテンツデのデザイン性を低下させることなく広告コンテンツに対するアクセス数を向上させることができる電子透かし広告コンテンツサービスシステムを提供すること。【解決手段】  カメラを備えたクライアント端末と、このクライアント端末から受信した電子透かしＩＤに関連付けられた広告コンテンツを提供するサーバとから成る広告コンテンツサービスシステムであって、  前記クライアント端末は、広告コンテンツを印刷または表示した媒体に埋め込まれた電子透かし画像を前記カメラで読取って解析し、当該電子透かし画像から電子透かしＩＤを抽出し、前記サーバに送信する手段を有し、前記サーバは、前記クライアント端末から受信した電子透かしＩＤに関連付けられた前記広告コンテンツの詳細をデータベースから取得し、要求元の前記クライアント端末に送信して表示させる手段を有していることを特徴とする。【選択図】      図２
2013026848.tif 000002
【特許請求の範囲】
【請求項１】
カメラを備えたクライアント端末と、このクライアント端末から受信した電子透かしＩＤに関連付けられた広告コンテンツを提供するサーバとから成る広告コンテンツサービスシステムであって、
前記クライアント端末は、広告コンテンツを印刷または表示した媒体に埋め込まれた電子透かし画像を前記カメラで読取って解析し、当該電子透かし画像から電子透かしＩＤを抽出し、前記サーバに送信する手段を有し、
前記サーバは、前記クライアント端末から受信した電子透かしＩＤに関連付けられた前記広告コンテンツの詳細をデータベースから取得し、要求元の前記クライアント端末に送信して表示させる手段を有していることを特徴とする電子透かし広告コンテンツサービスシステム。
【請求項２】
前記媒体に埋め込む電子透かし画像は、広告コンテンツの詳細毎に一意に定めた電子透かしＩＤをアイコン画像化したものであることを特徴とする請求項１に記載の電子透かし広告コンテンツサービスシステム。
【請求項３】
前記アイコン画像を、前記サーバより受信した広告コンテンツの詳細に基づき、前記クライアント端末が読み取った電子透かし画像に重ね合わせ、前記クライアント端末に表示をさせることを特徴とする請求項１に記載の電子透かし広告コンテンツサービスシステム。
【請求項４】
前記媒体に埋め込む電子透かし画像は、広告コンテンツの詳細毎に一意に定めた電子透かしＩＤを任意の画像に付加して作成した画像であることを特徴とする請求項１に記載の電子透かし広告コンテンツサービスシステム。
【請求項５】
前記広告コンテンツ中には複数の電子透かし画像が埋め込まれており、前記クライアント端末は利用者によって選択された電子透かし画像の電子透かしＩＤのみを前記サーバに送信することを特徴とする請求項１〜４のいずれか１項に記載の電子透かし広告コンテンツサービスシステム。
【請求項６】
前記電子透かしＩＤとともに、アクセス元の利用者端末の利用者情報、位置情報、広告コンテンツの読取り時刻から成るアクセス情報を収集し、アクセス情報収集データベースに格納することを特徴とする請求項１に記載の電子透かし広告コンテンツサービスシステム。
【請求項７】
前記電子透かし画像のアイコンが選択されたことを示す操作ＩＤを収集し、端末利用者情報、選択操作が行われたときの操作時刻とともに、操作集計データをデータベースに格納することを特徴とする請求項１に記載の電子透かし広告コンテンツサービスシステム。
【発明の詳細な説明】
【技術分野】
【０００１】
本発明は、電子透かしを埋め込んだ広告コンテンツをユーザが所持する携帯電話機やＰＤＡ付属のカメラによって読取り、ユーザによって選択された位置に埋め込まれた電子透かしにより識別される商品などの詳細情報をサーバから配信する電子透かし広告コンテンツサービスシステムに関するものである。
【背景技術】
【０００２】
従来、各種の商品の広告情報を一般ユーザに提供する場合、紙媒体であるチラシに印刷された広告コンテンツ中に、それぞれの商品あるいは商品カテゴリ別のＱＲコード（２次元バーコード）を印刷し、そのＱＲコードを携帯電話機等のユーザ端末に付加されたカメラによって読取り、読取ったＱＲコードをインタネットを介してサーバに送信し、サーバにおいて受信したＱＲコードに対応する商品の詳細情報（仕様、形状、価格、在庫状況など）をユーザ端末に配信するようにしたものがある。
この種の技術の先行技術文献として下記の特許文献１に開示されたものが知られている。
【先行技術文献】
【特許文献】
【０００３】
【特許文献１】特開２００６−１８７２４号公報
【発明の概要】
【発明が解決しようとする課題】
【０００４】
しかし、上記の先行技術にあっては、紙媒体の広告コンテンツ中にＱＲコードを印刷する必要があるため、ＱＲコード自体が広告コンテンツのデザイン性を低下させてしまうという問題があった。特に、女性向けのファッション雑誌等に掲載する広告コンテンツにあっては、広告コンテンツ自体に高級感を持たせた雰囲気で作成されるが、如何に高級感を持たせたとしてもＱＲコードがデザイン性を大きく低下させ、広告効果が期待できなくなり、サーバへのアクセス数がそれほど向上しないという問題があった。
【０００５】
本発明の目的は、広告コンテンツデのデザイン性を低下させることなく広告コンテンツに対するアクセス数を向上させることができる電子透かし広告コンテンツサービスシステムを提供することにある。
【課題を解決するための手段】
【０００６】
上記目的を達成するために、本発明に係る電子透かし広告コンテンツサービスシステムは、カメラを備えたクライアント端末と、このクライアント端末から受信した電子透かしＩＤに関連付けられた広告コンテンツを提供するサーバとから成る広告コンテンツサービスシステムであって、
前記クライアント端末は、広告コンテンツを印刷または表示した媒体に埋め込まれた電子透かし画像を前記カメラで読取って解析し、当該電子透かし画像から電子透かしＩＤを抽出し、前記サーバに送信する手段を有し、
前記サーバは、前記クライアント端末から受信した電子透かしＩＤに関連付けられた前記広告コンテンツの詳細をデータベースから取得し、要求元の前記クライアント端末に送信して表示させる手段を有していることを特徴とする。
また、前記媒体に埋め込む電子透かし画像は、広告コンテンツの詳細毎に一意に定めた電子透かしＩＤをアイコン画像化したものであることを特徴とする。
また、前記媒体に埋め込む電子透かし画像は、広告コンテンツの詳細毎に一意に定めた電子透かしＩＤを任意の画像に付加して作成した画像であることを特徴とする。
前記広告コンテンツ中には複数の電子透かし画像が埋め込まれており、前記クライアント端末は利用者によって選択された電子透かし画像の電子透かしＩＤのみを前記サーバに送信することを特徴とする。
【発明の効果】
【０００７】
本発明によれば、ＱＲコードに代えて、人間の目では識別不可能な電子透かしを広告コンテンツ中に埋め込み、この電子透かしによって識別される広告コンテンツの詳細をサーバから取得するようにしているため、広告コンテンツデのデザイン性を低下させることなく広告コンテンツに対するアクセス数を向上させることができる。
【図面の簡単な説明】
【０００８】
【図１】本発明に係る広告コンテンツサービスシステムの一実施形態を示す全体構成図である。
【図２】本発明に係る広告コンテンツサービスシステムにおける電子透かしによる広告コンテンツ利用の処理概要を示す説明図である。
【図３】図１の実施形態における電子透かし画像の作成過程を示すフローチャートである。
【図４】図１の実施形態における電子透かしクライアント端末と電子透かし管理サーバの処理概要を示すフローチャートである。
【図５】図１の実施形態における電子透かしクライアント端末と電子透かし管理サーバの処理概要を示すフローチャートである。
【図６】電子透かし情報管理データの構成例を示す図である。
【図７】電子透かしＩＤに関連付けられた広告コンテンツのＵＲＬリスト情報の例を示す図である。
【図８】電子透かし利用クライアントにおける対話画面の表示内容の例を示す図である。
【図９】電子透かしＩＤを利用した広告コンテンツへのアクセス情報の収集データの構成例を示す図である。
【図１０】電子透かしクライアント端末から広告コンテンツへのアクセス操作状況を記録した操作集計データの構成例を示す図である。
【発明を実施するための形態】
【０００９】
以下、本発明を実施する場合の実施形態を、図面を用いて詳細に説明する。
図１は、本発明に係る広告コンテンツサービスシステムの一実施形態を示す全体構成図である。
この実施形態の広告コンテンツサービスシステムは、電子透かし作成クライアント端末１０、電子透かし管理サーバ１１、広告コンテンツサーバ１２、広告コンテンツＤＢ１３、広告コンテンツ印刷サーバ１４、印刷装置１５、電子透かし付きコンテンツ１７が印刷された紙媒体１６、電子透かし利用クライアント端末１８で構成されている。
電子透かし作成クライアント端末１０は、電子透かしコンテンツ作成者１０１が広告コンテンツに埋め込む電子透かし画像を作成するパーソナルコンピュータ等の情報端末であり、電子透かし画像作成部１０２を使用して電子透かし画像を作成する。作成された電子透かし画像については、一意の電子透かしＩＤが生成されて電子透かし管理サーバ１１で管理される。
【００１０】
電子透かし画像の作成方法は、（１）広告コンテンツ画像のノイズ部分に人間の目では識別不可能な透かし情報を埋め込む代入法、（２）広告コンテンツ画像で類似の画像成分が連続する部分に人間の目では識別不可能な透かし情報を埋め込む選択法、（３）広告コンテンツ画像の量子化ノイズ成分に着目し、その量子化ノイズ成分の一部分に人間の目では識別不可能なノイズ成分から構成された透かし情報を埋め込む構成法があるが、本発明ではいずれの作成方法をも採用することができ、電子透かし画像の作成方法は限定しない。
【００１１】
電子透かし管理サーバ１１は、電子透かし作成クライアント１０で作成された電子透かし画像を管理するサーバであり、電子透かし管理部１１０、アクセス情報収集部１１２、操作結果集計部１１４を備えている。
電子透かし管理部１１０は、電子透かし作成クライアント１０で作成された電子透かし画像を電子透かしＩＤ毎に、当該電子透かし画像に関連付けられた広告コンテンツのネットワーク上の存在場所を示すＵＲＬ情報を関連付け、図６に示すような構成で電子透かし情報管理データベース１１１に格納する。
なお、ここではＵＲＬ情報はホームページのアドレスやメールアドレス、および任意のアプリケーションを起動するための識別子を示す。要はネットワーク上の特定のコンテンツを利用するための識別子であればよい。
【００１２】
図６に示す電子透かし情報管理データは、電子透かし画像６００、電子透かしＩＤ６０１と、これに関連付けられたＵＲＬリスト情報ＸＭＬ６０２で構成されている。
ＵＲＬリスト情報ＸＭＬ６０２は、図７にその詳細構成を例示しているように、電子透かし画像のＩＤ６０２０、このＩＤ６０２０に対応付けられている広告製品の名前６０２１、利用者端末の対話画面１８１に表示される広告製品（または広告商品）毎の電子透かし画像アイコンの表示座標位置情報６０２２、ネットワーク上の広告コンテンツの存在場所を示すＵＲＬ６０２３で構成されている。
【００１３】
アクセス情報収集部１１２は、電子透かしＩＤに関連付けられた広告コンテンツに対するアクセスが発生するたびに、図９に示すような電子透かしＩＤ９１０、アクセス元の利用者端末の利用者情報９１２、位置情報９１３、広告コンテンツの読取り時刻（現在時刻）９１４から成るアクセス情報９１１を収集し、アクセス情報収集データベース１１３に格納する。
操作結果集計部１１４は、電子透かし利用クライアント端末１８において利用者１８０が電子透かし付きコンテンツ内の任意の広告製品を選択する操作を行ったとき、当該広告製品に対応付けられている電子透かし画像のアイコンが選択されたことを示す電子透かしＩＤを収集し、図１０に示すような構成の操作集計データをデータベース１１５に格納し、電子透かし付きコンテンツ内の複数の広告製品についていずれが選択されたかを集計するのに役立てる。操作集計データは図１０に示したように、操作ＩＤ１０１０、端末利用者情報１０１１、選択操作が行われたときの操作時刻１０１２で構成されている。
【００１４】
次に、広告コンテンツサーバ１２は、電子透かしＩＤに関連付けられた電子透かし付き広告コンテンツを記憶し、ネットワーク１９を通じたクライアント端末１８からの要求に応じて、電子透かし付き広告コンテンツのＵＲＬで指定された広告コンテンツを広告コンテンツデータベース１３から読み出し、クライアント端末１８に配信する。
この場合、広告コンテンツデータベース１３には、電子透かし付き広告コンテンツと共にアイコン画像化した電子透かしＩＤが格納されている。
広告コンテンツ印刷サーバ１４は、広告コンテンツサーバ１２から電子透かし付き広告コンテンツを取得し、チラシや広告雑誌等の紙媒体１６に、電子透かし付き広告コンテンツ１７を印刷装置１５により印刷し、発行するものである。この場合、印刷される電子透かし付き広告コンテンツには、複数の広告製品（商品）に関する広告情報が含まれている。
【００１５】
電子透かし利用クライアント端末１８は、利用者対話画面１８１、カメラ装置１８２、電子透かし解析部１８３を備え、紙媒体１６に印刷された電子透かし付き広告コンテンツ１７の画像をカメラ装置１８２で撮影し、その撮影画像から電子透かし画像を抽出し、図８に示すように、利用者対話画面１８１中に、電子透かし付き広告コンテンツ１７内に埋め込まれた広告製品ごとの電子透かし画像アイコン８００を表示し、そのアイコン８００が利用者１８０によって選択されたとき、電子透かし画像アイコン８００が選択されたことを示す電子透かしＩＤを管理サーバ１１に送信し、管理サーバ１１から電子透かしＩＤに対応する広告コンテンツの詳細を取得して対話画面１８１内に表示する。
【００１６】
図２は、電子透かしを利用した広告コンテンツの利用の概要を示す図である。
電子透かしコンテンツ利用者１８０が電子透かし利用クライアント端末１８を操作し、電子透かし画像を埋め込んだチラシ等の紙媒体１６に印刷された広告コンテンツの画像をカメラ装置１８２で撮影すると、電子透かし解析部１８３が解析し、紙媒体１６に印刷された広告コンテンツ中から複数の広告製品の電子透かし画像の電子透かしＩＤを抽出する。そして、利用者対話画面１８１内に、図８に示したように広告製品毎の電子透かし画像アイコン８００を表示する。そこで、その表示されたアイコン８００の選択操作を行うと、電子透かし利用クライアント端末１８はアイコン８００に対応する電子透かしＩＤを電子透かし管理サーバ１１に送信し、電子透かし管理サーバ１１から当該電子透かしＩＤに関連付けられている広告製品の広告コンテンツの詳細情報のＵＲＬを取得する。
【００１７】
電子透かしコンテンツ利用者１８０が利用者対話画面１８１内に表示された広告コンテンツの詳細情報のＵＲＬを選択すると、電子透かし利用クライアント端末１８はそのＵＲＬを広告コンテンツサーバ１２に送信し、広告コンテンツサーバ１２から前記ＵＲＬに対応する広告コンテンツの詳細情報を広告コンテンツデータベース１３から取得し、要求元のクライアント端末１８に返す。
クライアント端末１８は要求した広告コンテンツの詳細情報を利用者対話画面１８１内に表示する。
【００１８】
図３は、電子透かし作成クライアント端末１０における電子透かし画像の作成過程を示すフローチャートである。
まず、電子透かし作成クライアント端末１０は、電子透かし画像の作成に当たり、電子透かしＩＤの発行を電子透かし管理サーバ１１に依頼する（ステップ３０１）。
これに対し、電子透かし管理サーバ１１は、システムで一意な電子透かしＩＤを発行し、電子透かし情報管理データベース１１１に格納する（ステップ３０２）。この後、発行した電子透かしＩＤを要求元の電子透かし作成クライアント端末１０に返信する。
電子透かし作成クライアント端末１０は、管理サーバ１１から受信した電子透かしＩＤそのものをアイコン画像化した電子透かし画像を作成する（ステップ３０３）。
この場合、アイコン画像化した電子透かしＩＤにはヘッダ情報を付加し、電子透かしＩＤとその他のＩＤとを区別可能に構成されている。
【００１９】
そして、電子透かしＩＤに対応する広告コンテンツのネットワーク上の存在場所を示すＵＲＬリスト情報ＸＭＬを作成し、画像化した電子透かしＩＤと共に電子透かし管理サーバ１１に送信する（ステップ３０４）。
電子透かし管理サーバ１１は、受信した電子透かしＩＤのアイコン画像とＵＲＬリスト情報ＸＭＬとを、ステップ３０２で格納しておいた電子透かしＩＤに紐付けて電子透かし情報管理データベース１１１に登録する（ステップ３０５）。
なお、ここでは電子透かしＩＤそのものをアイコン画像化した電子透かし画像を作成しているが、作成者が任意に選択した画像に電子透かしＩＤを付加した画像を作成するように構成してもよい。要は電子透かし画像から電子透かしＩＤが抽出可能な構成であればよい。
【００２０】
図４は、電子透かし利用クライアント端末１８と電子透かし管理サーバ１１の処理の概要を示すフローチャートである。
電子透かし利用クライアント端末１８は、利用者１８０が電子透かし付き広告コンテンツ１７をカメラ装置１８２で撮影し、撮影画像が入力されたならば、電子透かし解析部１８３が撮影画像を解析する（ステップ４０１）。
電子透かし解析部１８３は、撮影画像中に電子透かし画像が埋め込まれているか否かをヘッダ情報によって解析し、電子透かし画像が埋め込まれていれば、そのＩＤを取得し（ステップ４０２）、図７のアクセス情報を作成する（ステップ４０３）。次に、電子透かし利用クライアント端末１８の現在位置情報をＧＰＳ衛星からの電波によって算出し、前記アクセス情報に現在時刻９１４の情報と共に付加する。そして、電子透かしＩＤ９１０、アクセス情報９１１からなるアクセス情報収集データを作成し、電子透かし管理サーバ１１に送信する（ステップ４０５）。
電子透かし管理サーバ１１のアクセス情報収集部１１２は、受信したアクセス情報をアクセス情報収集データベース１１３に登録する（ステップ４０６）。
【００２１】
図５は、電子透かし利用者対話画面１８１における操作に応じた広告コンテンツサーバ１２へのアクセス処理を示すフローチャートである。
まず、電子透かし利用クライアント端末１８でカメラ装置１８２により電子透かし付き広告コンテンツ１７から電子透かし情報の読取り操作を行うと、電子透かし解析部１８３がアイコン画像化された電子透かしＩＤを抽出し、その電子透かしＩＤを電子透かし管理サーバ１１に送信する（ステップ５０１）。
電子透かしＩＤを受信した電子透かし管理サーバ１１は、電子透かし情報管理データベース１１１から受信した電子透かしＩＤに関連付けて登録されているＵＲＬリスト情報ＸＭＬ６０２を取得し、要求元の電子透かし利用クライアント端末１８に通知する（ステップ５０２）。
【００２２】
電子透かし利用クライアント端末１８は、受信したＵＲＬリスト情報ＸＭＬ６０２を対話画面１８１に表示する（ステップ５０３）。
表示されたＵＲＬリスト情報ＸＭＬ６０２の中から利用者１８０が任意のＵＲＬを選択すると、その選択されたＵＲＬを電子透かし管理サーバ１１および広告コンテンツサーバ１２に通知する（ステップ５０４）。
電子透かし管理サーバ１１は、利用者が選択したＵＲＬに対応する電子透かしＩＤを図１０に示すような操作集計データと操作集計データベース１１５に格納する（ステップ５０７）。なお、図１０の操作集計データの構成例では、ＵＲＬを格納するようになっていない、ＵＲＬを格納するように構成してもよい。
一方、広告コンテンツサーバ１２は、利用者が選択したＵＲＬから広告コンテンツの詳細情報を取得し、要求元の電子透かし利用クライアント端末１８に送信し、表示させる（ステップ５０５）。
【００２３】
なお、上記実施形態において、電子透かし管理サーバと広告コンテンツサーバとは別々の独立した構成としているが、一体化構成してもよい。これは広告コンテンツ印刷サーバについても同様である。
また、電子透かし付き広告コンテンツは紙媒体に印刷されたものを使用したが、表示装置の画面に表示されるものであってもよい。
【符号の説明】
【００２４】
１０    電子透かし作成クライアント端末
１１    電子透かし管理サーバ
１２    広告コンテンツサーバ
１３    広告コンテンツデータベース
１４    広告コンテンツ印刷サーバ
１５    印刷装置
１６    紙媒体
１７    電子透かし付き広告コンテンツ
１８    電子透かし利用クライアント端末
１０２    電子透かし画像作成部
１１０    電子透かし管理部
１１１    電子透かし情報管理データベース
１１２    アクセス情報収集部
１１３    アクセス情報収集データベース
１１４    操作結果集計部
１８１    利用者対話画面
１８２    カメラ装置
１８３    電子透かし解析部
【図１】
2013026848.tif 000003
【図２】
2013026848.tif 000004
【図３】
2013026848.tif 000005
【図４】
2013026848.tif 000006
【図５】
2013026848.tif 000007
【図６】
2013026848.tif 000008
【図７】
2013026848.tif 000009
【図８】
2013026848.tif 000010
【図９】
2013026848.tif 000011
【図１０】
2013026848.tif 000012